(57)【要約】【課題】ドレンホースをドレン排水溝に真上から、抜けないように接続できるドレンホース接続具と、この接続具を用いたドレンホースの接続構造を提供する。【解決手段】鉛直上方に立ち上がる上端にホース差込口１ａを備えたホース保持筒１ｂと、ホース保持筒１ｂの内面から突き出すホース抜止部と、ホース保持筒１ｂの下端両側に形成された支持脚１ｇ，１ｇとからなるドレンホース接続具１１とする。鉛直上方に立ち上がるホース保持筒１ｂにドレンホースの先端部を真上から差し込み、ホース抜止部１ｄをドレンホースの谷部に係合させて抜けないように接続する。【選択図】図１
2009264461.tif 000002
【特許請求の範囲】
【請求項１】
ドレン排水溝にドレンホースの先端部を真上から接続するためのドレンホース接続具であって、鉛直上方に立ち上がる上端にホース差込口を備えたホース保持筒と、ホース保持筒の内面から突き出すホース抜止部と、ホース保持筒の下端両側に形成された支持脚とからなることを特徴とするドレンホース接続具。
【請求項２】
上端にホース差込口を備えたホース保持筒が複数並設されていることを特徴とする請求項１に記載のドレンホース接続具。
【請求項３】
隣接するホース差込口同士、及び、ホース保持筒同士が切欠部で連通して一体的に形成されていることを特徴とする請求項２に記載のドレンホース接続具。
【請求項４】
ドレンホースが差し込まれないホース差込口に蓋体が被着されることを特徴とする請求項１ないし請求項３のいずれかに記載のドレンホース接続具。
【請求項５】
ホース保持筒の下部に、ドレン排水溝の蓋部材との継目を覆う被覆舌片が形成されていることを特徴とする請求項１ないし請求項４のいずれかに記載のドレンホース接続具。
【請求項６】
ホース抜止部として突起がホース保持筒の内面から突設され、突起の上面が内側斜め下方に傾斜する傾斜面に形成されると共に、突起の下面が略水平面に形成されていることを特徴とする請求項１ないし請求項５のいずれかに記載のドレンホース接続具。
【請求項７】
ホース抜止部として、相対向する二個一組の突起、又は、周方向に等間隔をあけて配置された三個一組の突起が、真上から見たときに互いに重ならないようにホース保持筒の内面から複数組突設され、突起の突出寸法は各組ごとに異なっていて、突出寸法が大きい組の突起ほどホース保持筒内面の低い位置に突設されていることを特徴とする請求項１ないし請求項６のいずれかに記載のドレンホース接続具。
【請求項８】
請求項１ないし請求項７のいずれかに記載されたドレンホース接続具の支持脚をドレン排水溝の溝底面に載置してドレンホース接続具をドレン排水溝に取付け、山部と谷部が交互に連成されたコルゲート状のドレンホースの先端部をドレンホース接続具のホース差込口からホース保持筒へ差し込み、ホース保持筒の内面から突き出すホース抜止部をドレンホースの先端部の谷部に係合させたことを特徴とするドレンホース接続構造。
【発明の詳細な説明】
【技術分野】
【０００１】
本発明は、ドレンホースの先端部をドレン排水溝に接続するためのドレンホース接続具に関する。
【背景技術】
【０００２】
近年、冷房機や空調機から出るドレン水は、冷房機や空調機から引き出したドレンホースを、屋外のベランダや廊下などの床面に設けたドレン排水溝の上流側端部に接続することによって、ドレン排水溝を通じて排水することが多くなってきた。
【０００３】
ドレンホースをドレン排水溝に接続するための接続（固定）具としては、例えば、ドレン排水溝の上流側端部に取付けられるブロック体にドレンホースの先端部を挿入する孔を設けたもの（特許文献１）や、ドレン排水溝に取付けられる台座上にドレンホースの先端部を抱持するホースクリップを設けたもの（特許文献２）が知られている。
【特許文献１】特開平１０−４６７６２号公報
【特許文献２】特開２００２−１１５２９３号公報
【発明の開示】
【発明が解決しようとする課題】
【０００４】
ところで、ドレンホースの接続勝手の良さや、床全体の見栄えの良さの観点から、空調機の室外機の近辺にドレン排水溝を設け、室外機から引き出したドレンホースを室外機近辺のドレン排水溝に真上から接続することが望ましい。このようにドレンホースを真上から接続すると、ホース内のドレン水がダイレクトに流下するため、ドレンホースが撓んでいる場合のようにドレン水がホース内部で滞溜することなく、スムーズにドレン排水溝へ排水できるようになり、また、ドレンホースを床面に複雑に配設する必要もないので、ドレンホースの撓み等によって床面の歩行が邪魔される心配も解消される。それ故、需要者の間では、ドレンホースをドレン排水溝に真上から、抜けないように接続できるドレンホース接続具が求められているが、前記特許文献１，２のドレンホース接続（固定）具はいずれも、そのような需要者の要求に応えられるものではない。
【０００５】
本発明は、上記事情の下になされたもので、その解決しようとする課題は、ドレンホースをドレン排水溝に真上から、抜けないように接続できるドレンホース接続具を提供することにある。そして、外径の異なるドレンホースを複数本接続できるドレンホース接続具や、ゴミや塵埃が入らないドレンホース接続具を提供することも解決課題としている。また、これらのドレンホース接続具を用いたドレンホースの接続構造を提供することも解決課題としている。
【課題を解決するための手段】
【０００６】
上記の課題を解決するため、本発明に係るドレンホース接続具は、ドレン排水溝にドレンホースの先端部を真上から接続するためのドレンホース接続具であって、鉛直上方に立ち上がる上端にホース差込口を備えたホース保持筒と、ホース保持筒の内面から突き出すホース抜止部と、ホース保持筒の下端両側に形成された支持脚とからなることを特徴とするものである。
【０００７】
本発明のドレンホース接続具においては、上端にホース差込口を備えたホース保持筒が複数並設されていることが好ましい。その場合、隣接するホース差込口同士、及び、ホース保持筒同士が切欠部で連通して一体的に形成されていてもよいし、個別に独立して形成されていてもよい。
【０００８】
また、ドレンホースが差し込まれないホース差込口には蓋体を被着することが好ましく、更に、ホース保持筒の下部には、ドレン排水溝の蓋部材との継目を覆う被覆舌片を形成することが好ましい。
【０００９】
また、本発明のドレンホース接続具においては、ホース抜止部として突起がホース保持筒の内面から突設され、突起の上面が内側斜め下方に傾斜する傾斜面に形成されると共に、突起の下面が略水平面に形成されていることが好ましい。そして、ホース抜止部として、相対向する二個一組の突起、又は、周方向に等間隔をあけて配置された三個一組の突起が、真上から見たときに互いに重ならないようにホース保持筒の内面から複数組突設され、突起の突出寸法は各組ごとに異なっていて、突出寸法が大きい組の突起ほどホース保持筒内面の低い位置に突設されていることが好ましい。
【００１０】
一方、本発明に係るドレンホース接続構造は、本発明に係る上記ドレンホース接続具の支持脚をドレン排水溝の溝底面に載置してドレンホース接続具をドレン排水溝に取付け、山部と谷部が交互に連成されたコルゲート状のドレンホースの先端部をドレンホース接続具のホース差込口からホース保持筒へ差し込み、ホース保持筒の内面から突き出すホース抜止部をドレンホースの先端部の谷部に係合させたことを特徴とするものである。
【発明の効果】
【００１１】
本発明のドレンホース接続具は、ホース保持筒の下端両側に形成された支持脚をドレン排水溝の溝底面に載置してドレン排水溝に取付けられる。そして、鉛直上方に立ち上がるホース保持筒の上端のホース差込口からドレンホースの先端部を該ホース保持筒に差し込むことによって、ドレンホースの先端部がドレン排水溝に真上から接続され、ホース保持筒の内面から突き出すホース抜止部によってドレンホースの抜出しが阻止される。
【００１２】
このように、本発明のドレンホース接続具によってドレンホースの先端部をドレン排水溝に真上から接続すると、ホース内のドレン水がダイレクトに真下に流下し、支持脚によってドレン排水溝の溝底面とホース保持筒との間に確保された空隙部を通じてドレン排水溝へスムーズに排水される。そして、ドレンホースが床面に複雑に配設されることもないので、ドレンホースによって歩行が邪魔される心配も解消される。
【００１３】
本発明のドレンホース接続具において、上端にホース差込口を備えたホース保持筒が複数並設されたものは、複数本のドレンホースをそれぞれのホース差込口からホース保持筒へ差し込んで接続することができる。その場合、隣接するホース差込口同士、及び、ホース保持筒同士が切欠部で連通して一体的に形成されていると、切欠部で連通させる分だけ材料樹脂を節約できると共に、一体的に形成されるホース保持筒の寸法を縮小できる利点がある。
【００１４】
また、本発明のドレンホース接続具において、ドレンホースが差し込まれないホース差込口に蓋体を被着したものは、ゴミや塵埃がホース差込口からホース保持筒を経てドレン排水溝へ入るのを蓋体によって防止できる利点があり、更に、ホース保持筒の下部に、ドレン排水溝の蓋部材とドレンホース接続具との継目を覆う被覆舌片を形成したものは、該継目が見えなくなって体裁が良くなると共に、該継目からゴミや塵埃がドレン排水溝へ入るのを被覆舌片によって防止できる利点がある。
【００１５】
また、本発明のドレンホース接続具において、ホース抜止部として突起がホース保持筒の内面から突設され、突起の上面が内側斜め下方に傾斜する傾斜面に形成されると共に、突起の下面が略水平面に形成されているものは、柔軟系の合成樹脂等で形成されたコルゲート状のドレンホースの先端部を真上からホース保持筒内へ差し込んだときに、突起が傾斜した上面によってドレンホースの谷部に容易に係合し、このように突起が係合すると略水平な下面によって簡単には外れないため、ドレンホースの抜出しを十分阻止することができる。
【００１６】
更に、本発明のドレンホース接続具において、ホース抜止部として、相対向する二個一組の突起、又は、周方向に等間隔をあけて配置された三個一組の突起が、真上から見たときに互いに重ならないようにホース保持筒の内面から複数組突設され、突起の突出寸法は各組ごとに異なっていて、突出寸法が大きい組の突起ほどホース保持筒内面の低い位置に突設されているものは、外径が最も小さいコルゲート状のドレンホースを、最も低い位置に突設された突出寸法が最も大きい二個一組又は三個一組の突起に係合させ、外径が二番目に小さいドレンホースを、下から２番目の位置に突設された突出寸法が２番目に大きい二個一組又は三個一組の突起に係合させ、以下同様に、外径が大きいドレンホースほど、高い位置に形成された突出寸法の小さい二個一組又は三個一組の突起に係合させることによって、外径が小さいドレンホースから外径が大きいドレンホースまで複数種類のドレンホースを抜けないように接続できる利点がある。
【００１７】
そして、本発明のドレンホース接続構造は、本発明のドレンホース接続具を介して、コルゲート状のドレンホースの先端部をドレン排水溝に真上から、抜けないように接続できるという効果がある。
【発明を実施するための最良の形態】
【００１８】
以下、図面を参照して本発明の具体的な実施形態を詳述する。
【００１９】
図１は本発明の一実施形態に係るドレンホース接続具の斜視図、図２、図３、図４、図５、図６はそれぞれ同ドレンホース接続具の正面図、平面図、右側面図、背面図、底面図、図７は図３のＡ−Ａ線断面図、図８は図３のＢ−Ｂ線断面図、図９は同ドレンホース接続具の一使用例を示す斜視図、図１０は同ドレンホース接続具を用いてドレンホースとドレン排水溝を接続した部分の断面図、図１１は図１０のＣ−Ｃ線断面図、図１２は図１１の部分拡大図、図１３の（ａ）及び（ｂ）はドレン排水溝の溝部材の平面図及び端面図、図１３の（ｃ）及び（ｄ）はドレン排水溝の蓋部材の平面図及び端面図、図１４は同ドレンホース接続具とその差込口に被着される蓋体の斜視図である。
尚、図１０、図１１、図１２は断面図を示すものであるが、ドレンホースのみは断面ではなく、外観形状を示している。
【００２０】
図１〜図８に示すドレンホース接続具１１は熱可塑性合成樹脂で射出成形された成形品であって、図９に示すようにドレン排水溝２０に取付けられ、ドレンホース３の先端（下端）をドレン排水溝２０に真上から、抜けないように接続するものである。
【００２１】
図１，図３に示すように、このドレンホース接続具１１には、四隅にアールを付けた略正方形のホース差込口１ａを上端に有する略角筒状の２つのホース保持筒１ｂ，１ｂが横並びに設けられており、隣接するホース差込口１ａ，１ａ同士、及び、ホース保持筒１ｂ，１ｂ同士が、中間の切欠部１ｃで連通して一体的に形成されている。これらのホース保持筒１ｂ，１ｂはいずれも鉛直上方に立ち上がり、上端のホース差込口１ａ，１ａは鉛直上方に向いて開口している。そのため、ドレンホース３の先端部は、図１０，図１１に示すように、ホース差込口１ａの真上からホース保持筒１ｂに差し込まれて鉛直方向に接続されるようになっている。
【００２２】
ホース保持筒１ｂ，１ｂの切欠部１ｃを除いた三方の側壁の内面には、図３，図６〜図８に示すように、ホース抜止部としてコ字形の平面形状を有する突起１ｄ，１ｄが突設されており、図１０，図１１に示すように、柔軟系の合成樹脂等で形成され、山部３ａと谷部３ｂを交互に連成したコルゲート状のドレンホース３をホース保持筒１ｂに差し込むと、コ字形の突起１ｄがドレンホース３の谷部３ｂに係合して、ドレンホース３が抜止めされるようになっている。このコ字形の突起１ｄは、図３に仮想線で示すように外径が大きいドレンホース３をホース保持筒１ｂに差し込むとその谷部に深く係合し、外径がそれより数ｍｍ程度小さいドレンホース３を差し込むとその谷部に浅く係合して、いずれの場合もドレンホース３が抜止めされるようになっている。この実施形態の突起１ｄはコ字形に連続して形成されているが、不連続な突起が三方の側壁内面から突き出すように形成されていてもよい。
【００２３】
図１２に示すように、突起１ｄの上面１ｅは内側斜め下方に傾斜する傾斜面に形成されており、突起１ｄの下面１ｆは略水平面に形成されている。そのため、ドレンホース３の先端部を真上からホース保持筒内１ｂに差し込むと、突起１ｄが傾斜した上面１ｅによってドレンホース３の谷部３ｂに容易に係合し、係合した突起１ｄは略水平な下面１ｆによって簡単に外れることがないので、ドレンホース３の抜出しを十分阻止することができる。
【００２４】
一体的に形成された左右のホース保持筒１ｂ，１ｂの下端両側には、図１，図２，図５，図７に示すように支持脚１ｇ，１ｇが形成されており、この支持脚１ｇ，１ｇの下端部には、ドレン排水溝２０の後述する溝部材２１の凹条２１ｅ，２１ｅに嵌挿される凸条１ｈ，１ｈが外向きに突設されている。従って、図１１に示すように支持脚１ｇ，１ｇの凸条１ｈ，１ｈを溝部材２１の凹条２１ｅ，２１ｅに嵌挿し、支持脚１ｇ，１ｇを溝底面２１ｂに載置してドレンホース接続具１１を溝部材２１に取付けると、ホース保持筒１ｂ，１ｂの下端と溝底面２１ｂとの間に排水用の空隙部Ｖが確保されるようになっている。
【００２５】
また、一体的に形成された左右のホース保持筒１ｂ，１ｂの下部には、図１，図３，図４に示すように前方へ突き出す被覆舌片１ｉが形成されており、図１０に示すように、このドレンホース接続具１１をドレン排水溝２０の溝部材２１に取付けると、ドレン排水溝２０の蓋部材２２とドレンホース接続具１１との継目Ｊが被覆舌片１ｉで覆われ、該継目Ｊが見えなくなって体裁が良くなると共に、該継目Ｊからゴミや塵埃がドレン排水溝２０へ入るのを防止できるようになっている。また、この被覆舌片１ｉは、図６のように下流側に向かって末広がりとなっていて溝部材２１の側堤部1ｃを覆う形になっているため、上流側からドレンホース接続具１１が下流側に倒れるような力が負荷された場合でも、側堤部1ｃに被覆舌片１ｉが支えられて、溝部材２１からドレンホース接続具１１が外れにくくなっている。
この被覆舌片１ｉは、ホース保持筒１ｂ，１ｂの下部から後方に突設してもよく、また、不要とあらば省略してもよい。尚、この被覆舌片１ｉの下面に形成された３つの凹部１ｊは、ドレン排水溝２０の蓋部材２２に形成された後述のリブ２２ｂが嵌まり込む凹部である。
【００２６】
上記のドレンホース接続具１１を取付けるドレン排水溝２０は、図１３の（ａ），（ｂ）に示すような合成樹脂製の溝部材２１と、図１３の（ｃ），（ｄ）に示すような合成樹脂製の蓋部材２２からなるものである。
【００２７】
溝部材２１は、縦長の底壁２１ａの左右両側に全長に亘って側堤部２１ｃ，２１ｃを形成したもので、この側堤部２１ｃ，２１ｃの相対向する内側面の下端には、蓋部材２２の左右両側のフランジ部２２ａ，２２ａを挿入する凹条２１ｅ，２１ｅが形成されており、また、溝底面２１ｂ（底壁２１ａの上面）には、少量のドレン水でもスムーズに流れるように多数の細溝部２１ｆが形成されている。尚、２１ｄは両側堤部２１ｃ，２１ｃの外側のフランジ部であり、ドレン排水溝２０がベランダ床面に敷設した床シート（不図示）間に設けられる場合に、床シートとの間で段差が生じないように、両側堤部２１ｃ，２１ｃの外側のフランジ部２１ｄは床シートの厚み相当分だけ高くなっている。この外側のフランジ部２１ｄと床シート端面とを、溶接やコーキングなどによって一体的に接合することで、ベランダ床面への防水が図れるようになっている。
【００２８】
一方、蓋部材２２は、偏平なハット形状の断面を有するもので、左右両側には一段低いフランジ部２２ａ，２２ａが形成されており、上面には防滑効果、補強効果、意匠効果、排水効果等を発揮する３本の細帯状のリブ２２ｂが形成されている。そして、蓋部材２２の裏面には、耐荷重を向上させるための３つの支持片２２ｃが形成されている。この蓋部材２２は、左右のフランジ部２２ａ，２２ａを溝部材２１の凹条２１ｅ，２１ｅに嵌挿することによって、溝部材２１の両側堤部２１ｃ，２１ｃの相互間の上面開口部を覆うように溝部材２１に取付けられる。尚、蓋部材２２を軟質塩化ビニルやポリエチレン、エラストマーなどのような変形可能な合成樹脂等を用いて形成すると、蓋部材２２を凸曲変形させながら上方よりフランジ部２２ａ，２２ａを溝部材２１の凹条２１ｅ，２１ｅに嵌め込んで取付けることもできる。
【００２９】
次に、上記のドレンホース接続具１１を用いてドレンホース３をドレン排水溝２０に真上から接続することにより、図９に示すようなドレン排水設備を屋外のベランダ等に施工する場合について説明する。
【００３０】
まず、上記溝部材２１の凹条２１ｅ，２１ｅに上記蓋部材２２のフランジ部２２ａ，２２ａを嵌挿し、溝部材２１の両側堤部２１ｃ，２１ｃの相互間の上面開口部を覆うように蓋部材２２を溝部材２１に取付けることによって、ドレン排水溝２０を組み立てる。このとき、溝部材２１の上流側端部の上面開口部は蓋部材２２で覆わないで開放しておく。そして、この溝部材２１の上流側端部にドレンホース接続具１１を前述した要領で取付け、図１０に示すように、蓋部材２２とドレンホース接続具１１との継目Ｊをドレンホース接続具１１の被覆舌片１ｉで被覆して、体裁を良くすると共に、継目Ｊからのゴミ等の侵入を防止する。次いで、このドレンホース接続具１１が取り付けられたドレン排水溝２０を、図９に示すようにベランダ床面４の片側の一辺沿いに配置し、ドレン排水溝２０の下流側の端面開口部をベランダの排水溝４ａに臨ませると共に、接着剤等でドレン排水溝２０の溝部材２１をベランダ床面４に接着する。このとき、図１０に示すように、溝部材２１の上流側の端面開口部をコーキング剤５で閉塞し、ドレン水が上流側の端面開口部から漏れないようにすることが好ましい（ドレンホース接続具１１の上流側の端面開口部はコーキング処理をしなくてもよいように、予め壁面を設けて閉鎖しておいてもよいのは言うまでもない）。そして、図９〜図１１に示すように、ベランダの室外機６から引き出したドレンホース３の先端部３ａをドレンホース接続具１１のホース差込口１ｂの真上からホース保持筒１ｂに鉛直方向に差し込み、ホース保持筒１ｂの内部の突起１ｄをドレンホース３の谷部３ｂに係合させて抜け出さないように接続して、ドレン排水設備の施工を完了する。
【００３１】
上記のようにドレンホース接続具１１を用いてドレンホース３の先端部をドレン排水溝２０に真上から鉛直方向に、抜け出さないように接続すると、ホース３内のドレン水がダイレクトに真下に流下して、ドレン排水溝２１の溝底面２１ｂとホース保持筒１ｂとの間の空隙部Ｖからドレン排水溝２０の下流側へスムーズに排水される。そして、ドレンホース３が床面に複雑に配設されることもないので、ドレンホース３によって歩行が邪魔される心配も解消される。
【００３２】
本発明のドレンホース接続構造は、図１０，図１１に示すように、上記のドレンホース接続具１１をドレン排水溝２０の溝部材２１に取付け、山部３ａと谷部３ｂが交互に連成されたコルゲート状のドレンホース３の先端部をドレンホース接続具１１のホース差込口１ａからホース保持筒１ｂへ差し込み、ホース保持筒１ｂの内面から突き出す突起１ｄ（ホース抜止部）をドレンホース３の先端部の谷部３ｂに係合させたものである。
【００３３】
図９に例示のドレン排水設備では、ドレンホース接続具１１の片方のホース保持筒１ｂに１本のドレンホース３の先端部を差し込んで接続しているが、ドレンホースが２本ある場合は、双方のホース保持筒１ｂ，１ｂにドレンホースを１本づつ差し込んで接続すればよいことは言うまでもない。その場合、ドレンホース３の外径が異なっていても、数ｍｍ程度の差であれば、既述したように突起１ｄがドレンホース３の谷部に係合して抜けないように接続することができる。
【００３４】
また、ドレンホース接続具１１を取付けたドレン排水溝２０を接着剤でベランダ床面４に接着してから、ドレンホース３を差込み接続するまでの間は、図１４に示すような蓋体１ｋ，１ｋをドレンホース接続具１１のホース差込口１ａ，１ａに被着し、ゴミや塵埃がホース差込口１ａ，１ａからドレン排水溝２０に入らないようにすることが好ましい。この蓋体１ｋ，１ｋは、ホース差込口１ａ，１ａに合致するように四隅にアールを付けた２つ略正方形の蓋板１ｍ，１ｍを、その中間部分で簡単に分割できるように割り線１ｐを設けて一体的に形成すると共に、該蓋板１ｍ，１ｍの裏面にコ字形の差込み部１ｎ，１ｎを設けたものであって、差込み部１ｎ，１ｎをホース差込口１ａ，１ａからホース保持筒１ｂ，１ｂへ挿入すると、蓋板１ｍ，１ｍの端縁部がホース差込口１ａ，１ａの口縁部に係止して簡単に被着できるものである。
【００３５】
２本のドレンホース３がドレンホース接続具１１の双方のホース差込口１ａ，１ａからホース保持筒１ｂ，１ｂに差込み接続される場合は、上記の蓋体１ｋ，１ｋが被着されることはないが、図９に示すように、１本のドレンホース３が片方の差込口１ａからホース保持筒１ｂに差込み接続される場合は、上記の蓋体１ｋ，１ｋを割り線１ｐに沿って分割し、片方の蓋体１ｋをドレンホースが差し込まれないホース差込口１ａに被着して、ゴミや塵埃の侵入を防止することが望ましい。また、ドレン排水溝とドレンホース接続具が設置された後、実際にドレンホースを接続具に接続するまでの間、ホース差込口１ａ，１ａには蓋体１ｋ，１ｋを被着しておくと、同じくゴミや塵埃の侵入を防止することができる。
【００３６】
上記実施形態のドレンホース接続具１１は、隣接するホース差込口１ａ，１ａ同士、及び、ホース保持筒１ｂ，１ｂ同士を、切欠部１ｃで連通させて一体的に形成しているが、図１５に示すドレンホース接続具１２のように、隣接するホース差込口１ａ，１ａの間、及び、ホース保持筒１ｂ，１ｂの間に、共通の仕切り壁１ｑを形成して、双方のホース差込口１ａ，１ａ及びホース保持筒１ｂ，１ｂを個別に独立して形成しても勿論よい。もっとも、上記実施形態のドレンホースのように、隣接するホース差込口１ａ，１ａ同士、及び、ホース保持筒１ｂ，１ｂ同士を、切欠部１ｃで連通させて一体的に形成すると、切欠部１ｃで連通させる分だけ材料樹脂を節約できると共に、一体的に形成されるホース保持筒の寸法を少し縮小できる利点がある。尚、このドレンホース接続具１２の他の構成は、前記ドレンホース接続具１１のそれと同様であるので、図１５において同一部材に同一符号を付すにとどめ、重複する説明は省略する。
【００３７】
更に、前記のドレンホース接続具１１では、上端にホース差込口１ａを有する２つのホース保持筒１ｂを左右に並設しているが、前後に併設してもよく、また、略正方形のホース差込口１ａを上端に有する略角筒状のホース保持筒１ｂに代えて、円形のホース差込口を上端に有する円筒状のホース保持筒を並設してもよい。
【００３８】
図１６はそのような変更実施形態のドレンホース接続具１３を示す平面図であって、このドレンホース接続具１３では、上端に円形のホース差込口１ａを備えた２つの円筒状のホース保持筒１ｂ，１ｂが前後に並べられて、互いに独立して設けられており、それぞれのホース保持筒１ｂの内面にはホース抜止部として円環状の鍔形突起１ｄが形成されている。そして、ホース保持筒１ｂ，１ｂの下端から両側に延びる基板１ｒの両端には支持脚１ｇ，１ｇと前記の凸条１ｈ，１ｈが形成されている。尚、図１６では円環状の鍔形突起１ｄを形成しているが、環状に、複数の不連続な突起としてもよいことは言うまでもない。
【００３９】
また、前記のドレンホース接続具１１，１２，１３はいずれも、上端にホース差込口１ａを有するホース保持筒１ｂを二つ並設しているが、図１７，図１８に示すドレンホース接続具１４のようにホース保持筒は一つでもよいし、逆に、３つ以上設けてもよい。
【００４０】
即ち、図１７，図１８に示すドレンホース接続具１４は、上端に円形のホース差込口１ａを備えた円筒状の１つのホース保持筒１ｂを垂直上方に立ち上げて形成したものであって、ホース保持筒１ｂの下端から両側に延びる基板１ｒの両端には支持脚１ｇと前記の凸条１ｈ，１ｈが形成されている。
【００４１】
そして、ホース保持筒１ｂの内面には、図１７に示すように、ホース抜止部として、相対向する二個一組の突出寸法が小さい突起１ｓ，１ｓと、相対向する二個一組の突出寸法が中程度の突起１ｔ，１ｔと、相対向する二個一組の突出寸法が大きい突起１ｕ，１ｕとが、真上から見たときに互いに重ならないように６０°の間隔をあけて配置されており、図１８に示すように、突出寸方が大きい組の突起ほどホース保持筒１ｂの内面の低い位置に突設されている。即ち、突出寸法が大きい組の突起１ｕ，１ｕは、ホース保持筒１ｂの内面の低い位置に突設され、突出寸法が中程度の組の突起１ｔ，１ｔは、ホース保持筒１ｂの内面の中ほどの位置に突設され、突出寸法が小さい組の突起１ｓ，１ｓは、ホース保持筒１ｂの内面の高い位置に突設されている。
【００４２】
上記のようなドレンホース接続具１４は、外径が小さいコルゲート状のドレンホースを突出寸法が大きい二個一組の突起１ｕ，１ｕに係合させ、外径が中程度のドレンホースを突出寸法が中程度の二個一組の突起１ｔ，１ｔに係合させ、外径が大きいドレンホースを突出寸法の小さい二個一組の突起１ｓ，１ｓに係合させることによって、外径が小さいドレンホースから外径が大きいドレンホースまで３種類のドレンホースを抜けないように接続できる利点がある。
【００４３】
また、二個一組の突起に代えて、周方向に等間隔をあけて配置された三個一組の突起を、真上から見たときに互いに重ならないようにホース保持筒の内面に複数組配置し、各組の突起の突出寸法を変えて、突出寸法が大きい組の突起ほどホース保持筒内面の低い位置に突設するようにしてもよく、その場合も上記と同様の効果が得られる。
【００４４】
尚、前述したドレンホース接続具１３のように２つの円筒状のホース保持筒１ｂ，１ｂを前後に並設したものや、図示はしていないが、２つの円筒状のホース保持筒を左右に並設したドレンホース接続具において、それぞれのホース保持筒１ｂ，１ｂの内面に、ホース抜止部として、上記のような突出寸法の異なる複数組の突起を突設し、外径が小さいドレンホースから外径が大きいドレンホースまで複数種類のドレンホースを抜けないように接続できるようにしてもよいことは言うまでもない。
【図面の簡単な説明】
【００４５】
【図１】本発明の一実施形態に係るドレンホース接続具の斜視図である。
【図２】同ドレンホース接続具の正面図である。
【図３】同ドレンホース接続具の平面図である。
【図４】同ドレンホース接続具の右側面図である。
【図５】同ドレンホース接続具の背面図である。
【図６】同ドレンホース接続具の底面図である。
【図７】図３のＡ−Ａ線断面図である。
【図８】図３のＢ−Ｂ線断面図である。
【図９】同ドレンホース接続具の一使用例を示す斜視図である。
【図１０】同ドレンホース接続具を用いてドレンホースとドレン排水溝を接続した部分の断面図である。
【図１１】図１０のＣ−Ｃ線断面図である。
【図１２】図１１の部分拡大図である。
【図１３】（ａ）及び（ｂ）はドレン排水溝の溝部材の平面図及び端面図、（ｃ）及び（ｄ）はドレン排水溝の蓋部材の平面図及び端面図である。
【図１４】同ドレンホース接続具とその差込口に被着される蓋体の斜視図である。
【図１５】本発明の他の実施形態に係るドレンホース接続具の平面図である。
【図１６】本発明の更に他の実施形態に係るドレンホース接続具の平面図である。
【図１７】本発明の更に他の実施形態に係るドレンホース接続具の平面図である。
【図１８】図１７のＤ−Ｄ線断面図である。
【符号の説明】
【００４６】
１ａ  ホース差込口
１ｂ  ホース保持筒
１ｃ  切欠部
１ｄ  ホース抜止部（突起）
１ｅ  突起の上面
１ｆ  突起の下面
１ｇ  支持脚
１ｉ  被覆舌片
１ｋ  蓋体
１ｓ  相対向する二個一組の突出寸法が小さい突起
１ｔ  相対向する二個一組の突出寸法が中程度の突起
１ｕ  相対向する二個一組の突出寸法が大きい突起
１１，１２，１３，１４  ドレンホース接続具
２０  ドレン排水溝
２１  溝部材
２１ｂ  溝底面
２２  蓋部材
３  ドレンホース
３ａ  ドレンホースの山部
３ｂ  ドレンホースの谷部
Ｊ  継目
Ｖ  空隙部
【図１】
2009264461.tif 000003
【図２】
2009264461.tif 000004
【図３】
2009264461.tif 000005
【図４】
2009264461.tif 000006
【図５】
2009264461.tif 000007
【図６】
2009264461.tif 000008
【図７】
2009264461.tif 000009
【図８】
2009264461.tif 000010
【図９】
2009264461.tif 000011
【図１０】
2009264461.tif 000012
【図１１】
2009264461.tif 000013
【図１２】
2009264461.tif 000014
【図１３】
2009264461.tif 000015
【図１４】
2009264461.tif 000016
【図１５】
2009264461.tif 000017
【図１６】
2009264461.tif 000018
【図１７】
2009264461.tif 000019
【図１８】
2009264461.tif 000020